(57)【要約】【課題】管内の排水の位置と曲管との配置に関わらず、配管内の羽根部材を好適に位置に配置することができる。【解決手段】流路が上下方向に形成され、排水を流下させる直管部を有するとともに、螺旋状の羽根部材を備えた直管部材と、直管部材の下流側に接続され、排水の流路を前記上下方向から水平方向に変更させるエルボ４Ａとを備え、接続ソケットとエルボ４Ａとの接続部において、互いに非固着状態で接続されるとともに、接続ソケットの軸線回りの周方向の任意の回転角度で位置決め自在となる位置決め手段が設けられ、位置決め手段は、エルボ４Ａの受け口４ａにおいて周方向に沿って形成される複数の切欠部４４と、接続ソケットの外周面より突出するとともに切欠部４４に係合する突起と、からなる構成の配管ユニットを提供する。【選択図】図４
2015068140.tif 000002
【特許請求の範囲】
【請求項１】
流路が上下方向に形成され、排水を流下させる直管部を有するとともに、螺旋状の羽根部材を備えた直管部材と、
該直管部材の下流側に接続され、前記排水の流路を前記上下方向から水平方向に変更させる曲管と、
を備え、
前記直管部材と前記曲管との接続部において、前記直管部材が前記曲管に対して非固着状態で接続されるとともに、前記直管部材の軸線回りの周方向の任意の回転角度で位置決め自在となる位置決め手段が設けられていることを特徴とする配管ユニット。
【請求項２】
前記位置決め手段は、前記直管部材及び前記曲管のいずれか一方の端部において前記周方向に沿って形成される複数の切欠部と、他方において外周面より突出するとともに前記切欠部に係合する突起と、からなることを特徴とする請求項１に記載の配管ユニット。
【請求項３】
前記曲管の上流側端部には、水平方向の流路側を示す位置決め目印が設けられていることを特徴とする請求項１又は２に記載の配管ユニット。
【請求項４】
流路が上下方向に形成され、排水を流下させる直管部を有するとともに、螺旋状の羽根部材を備えた直管部材と、
該直管部材の下流側に接続され、前記排水の流路を前記上下方向から水平方向に変更させる曲管と、を備え、建物の床材の下方の床下空間に設置される配管ユニットの配管施工方法であって、
前記床下空間において水平方向に延びる横引管に前記曲管を接続する工程と、
前記曲管の設置後に、前記床材を配置する工程と、
前記直管部材を、前記床材を貫通させて前記曲管の上流側端部に非固着状態で接続する工程と、
を有し、
前記直管部材は、軸線回りの周方向の任意の回転角度で位置決め自在となる位置決め手段によって、前記羽根部材が所定角度となるように位置決めして前記曲管に接続されることを特徴とする配管施工方法。
【発明の詳細な説明】
【技術分野】
【０００１】
本発明は、配管ユニット及び配管施工方法に関する。
【背景技術】
【０００２】
従来、戸建住宅やマンション等の建物には、特許文献１に記載されるように各階にトイレや浴室等の排水用の配管構造が配備されている。
このようなトイレ用の配管構造としては、床下空間において、便器の排水口から鉛直下方へ延びる直管部と、この直管部の下端部に接続された曲管とが接着固定により一体的に配置され、この曲管の下流側端部には、所定の排水勾配で略水平方向へ延びる横引管が接続されている。そして、流路が排水で塞がれることによって、塞がれた部分よりも上流側の空間に負圧がかかるのを防止するために螺旋状の羽根部材を直管部に設けることが知られている。
【先行技術文献】
【特許文献】
【０００３】
【特許文献１】特開２００３−３４２９８４号公報
【発明の概要】
【発明が解決しようとする課題】
【０００４】
しかしながら、従来の配管構造では、便器を新設、或いは変更する場合において、便器の向きと横引管に接続される曲管の位置が変わることがある。ここで、通常のトイレでは、便器の方向に合わせて、手前側に水が流れることから、横引管に接続される曲管との位置が変わると、排水が直管部内に設けられる羽根部材に効果的に当たらなくなり、羽根部材の機能を十分に発揮できないという問題があった。
【０００５】
本発明は、上述する問題点に鑑みてなされたもので、管内の排水の位置と曲管との配置に関わらず、配管内の羽根部材を好適に位置に配置することができる配管ユニット及び配管施工方法を提供することを目的とする。
【課題を解決するための手段】
【０００６】
上記目的を達成するため、本発明に係る配管ユニットでは、流路が上下方向に形成され、排水を流下させる直管部を有するとともに、螺旋状の羽根部材を備えた直管部材と、該直管部材の下流側に接続され、前記排水の流路を前記上下方向から水平方向に変更させる曲管と、を備え、前記直管部材と前記曲管との接続部において、前記直管部材が前記曲管に対して非固着状態で接続されるとともに、前記直管部材の軸線回りの周方向の任意の回転角度で位置決め自在となる位置決め手段が設けられていることを特徴としている。
【０００７】
また、本発明に係る配管施工方法では、流路が上下方向に形成され、排水を流下させる直管部を有するとともに、螺旋状の羽根部材を備えた直管部材と、該直管部材の下流側に接続され、前記排水の流路を前記上下方向から水平方向に変更させる曲管と、を備え、建物の床材の下方の床下空間に設置される配管ユニットの配管施工方法であって、前記床下空間において水平方向に延びる横引管に前記曲管を接続する工程と、前記曲管の設置後に、前記床材を配置する工程と、前記直管部材を、前記床材を貫通させて前記曲管の上流側端部に非固着状態で接続する工程と、を有し、前記直管部材は、軸線回りの周方向の任意の回転角度で位置決め自在となる位置決め手段によって、前記羽根部材が所定角度となるように位置決めして前記曲管に接続されることを特徴としている。
【０００８】
本発明では、直管部材が曲管に対して位置決め手段により、直管部材の軸線回りの周方向の任意の回転角度で位置決めすることができる。そのため、直管部材内で流下する排水の位置と曲管の位置に応じて、好適な回転角度で羽根部材が配置するように直管部材を位置決めして曲管に接続することができる利点がある。
【０００９】
また、本発明に係る配管ユニットでは、記位置決め手段は、前記直管部材及び前記曲管のいずれか一方の端部において前記周方向に沿って形成される複数の切欠部と、他方において外周面より突出するとともに前記切欠部に係合する突起と、からなることが好ましい。
【００１０】
この場合には、直管部材及び曲管のいずれか一方の端部において周方向に所定間隔で設けられる複数の切欠部のそれぞれには、他方の突起が選択的に嵌合することで、前記他方の配管を任意の回転角度で位置決めすることができる。
【００１１】
また、本発明に係る配管ユニットでは、前記曲管の上流側端部には、水平方向の流路側を示す位置決め目印が設けられていることが好ましい。
【００１２】
このように構成することで、床下空間に配置される前記下流側配管の位置決め目印を、床材の上から目視することで、曲管の水平方向の流路方向を確認することができる。そのため、下流側配管に接続される上流側配管に羽根部材などの排水方向を誘導する部材が設けられる場合でも、その羽根部材の位置を曲管の向きに合わせて間違わずに位置決めすることができる。
【発明の効果】
【００１３】
本発明の配管ユニット及び配管施工方法によれば、管内の排水の位置と曲管との配置に関わらず、配管内の羽根部材を好適に位置に配置することができるという効果を奏する。
【図面の簡単な説明】
【００１４】
【図１】本発明の実施の形態による配管ユニットを床下空間に設置した状態を示す要部縦断面図である。
【図２】直管部の構成を示す斜視図である。
【図３】接続ソケットの構成を示す一部透過した斜視図である。
【図４】エルボの構成を示す斜視図である。
【図５】配管ユニットの接続状態を示す斜視図であって、エルボに接続ソケットを接続した図である。
【図６】エルボに設けられた位置決め目印の構成を示す上面図である。
【図７】（ａ）〜（ｄ）は、本実施の形態の配管ユニットの設置工程を示す図である。
【図８】エルボに接続ソケットを接続した状態を上から見た図であって、（ａ）は排水に螺旋羽根が当たっていない状態の図、（ｂ）は排水に螺旋羽根が当たっている状態の図である。
【図９】接続ソケットの位置決め方法を説明するための上面図であって、（ａ）は螺旋羽根を位置決めする前の状態の図、（ｂ）は螺旋羽根を位置決めした後の状態の図である。
【発明を実施するための形態】
【００１５】
以下、本発明の実施の形態による配管ユニット及び配管施工方法について、図面に基づいて詳細に説明する。
【００１６】
図１に示す本実施の形態の配管ユニット１は、戸建住宅等のトイレの排水に適用された排水システムの場合を一例としている。
図１に示すように、本実施の形態の配管ユニット１が用いられるトイレの排水システムは、床材５上に設置された便器６と、床材５と基礎７との間の床下空間Ｒに設置され、所定の排水勾配で略水平方向へ延びる横引管８に接続されるトイレ用の前記配管ユニット１と、を備えている。
【００１７】
本実施の形態の配管ユニット１が適用される便器６は、便器本体６１と、便器本体６１と配管ユニット１との空間を遮断する封水を溜めるトラップ６２と、を備えている。そして、便器６は、その使用後に洗浄水（排水）を流して、便器本体６１内に存在する固形物等を洗浄水と共に流動させ、トラップ６２内を通過させるようになっている。
トラップ６２は、谷状に湾曲する谷状ターン部６２ａと、山状に湾曲する山状ターン部６２ｂとを備えている。
【００１８】
配管ユニット１は、便器６を設置させた床材５の下方に配設されており、トラップ６２に取り付けられた上部ソケット６３に接続される直管部２と、直管部２の下流側端部に接続される接続ソケット３と、接続ソケット３の下流側端部に接続されるエルボ（曲管）４と、を備えている。直管部２と接続ソケット３は、直管部材１０を構成している。
上述した横引管８は、エルボ４に接続され、所定の排水勾配で水平方向へ延びている。なお、横引管８の下流側には不図示の排水ヘッダー等を介して基礎７の外部に設置された排水桝（不図示）に接続されている。
【００１９】
図２に示すように、直管部２は、射出成形法により成形され、直線状に延びる円筒形配管に形成されている。
【００２０】
接続ソケット３は、図３に示すように、上側に大径筒部３１と、下側に小径筒部３２とからなり、小径筒部３２の内部に、該配管ユニット１の流路が排水で塞がれることによって、塞がれた部分よりも上流側の空間に負圧がかかるのを防止するための螺旋羽根３３を備えている。接続ソケット３は、大径筒部３１の上端側端部には直管部２が内嵌接続され、小径筒部３２の下端側端部にはエルボ４が外嵌接続されている。
【００２１】
螺旋羽根３３は、平面視で接続ソケット３の内周面に沿って湾曲した形状をなす板状の部材である。螺旋羽根３３の外周面３３ａは、接続ソケット３の軸線３ｃを中心とし、接続ソケット３の内周面に沿う螺旋上の一部に配されるよう延びている。また、螺旋羽根３３の上面３３ｂは、接続ソケット３が直管部２に取り付けられた状態で、排水の一部を受けてその鉛直下方への流下を規制するとともに所定の方向に導く整流面となるよう形成されている。この螺旋羽根３３の形成範囲は、接続ソケット３の内周面に形成される仮想螺旋形状の３分の１ピッチから２分の１ピッチとされている。
【００２２】
また、接続ソケット３の小径筒部３２の外周面には、径方向の外側に突出する円形断面の突起３４（位置決め手段）が設けられている。この突起３４の形成位置は、外面の周方向で螺旋羽根３３の螺旋開始位置であって、下流側端部から適宜な高さとなる位置に配置されている。
【００２３】
エルボ４は、図４に示すように、略９０度の角度をなして配置される接続ソケット３と横引管８（図１参照）とを接続する管継手である。エルボ４において、直管部材１０から流下する排水の流動方向に略対向して排水を受ける壁部は、湾曲し排水の流路を変更させる湾曲部４１とされている。エルボ４は、湾曲部４１の上流側、および下流側が湾曲部４１よりも拡径されている。上流側拡径部４２には接続ソケット３の小径筒部３２が内嵌接続され、下流側拡径部４３には横引管８が内嵌接続されている。
【００２４】
また、エルボ４の上流側拡径部４２の内面には、止水性を有するゴム輪４５がエルボ４の周方向に沿って設けられている。つまり、接続ソケット３は、エルボ４に対してゴム輪４５を介して非固着状態で且つ着脱自在に接続されている。なお、ゴム輪４５としては、Ｏリング、パッキン等を採用することができる。
【００２５】
エルボ４の上流側拡径部４２には、その上端部において、接続ソケット３の突起３４を嵌合させる凹状の切欠部４４が形成されている。この切欠部４４に突起３４を嵌合させることで、接続ソケット３とエルボ４との軸線３ｃ回りの周方向に位置決めされる構成となっている（図５参照）。
【００２６】
また、エルボ４は、図４に示すように、接続ソケット３をその軸線３ｃ回りの所定位置に選択的に位置決め可能とし、接続ソケット３に設けられる螺旋羽根３３の位置を所望の位置に自在に変更することができる構成となっている。具体的には、上流側端部の受け口４ａにおいて、周方向に４５度のピッチで複数（ここでは８箇所）の切欠部４４（位置決め手段）を設けた構成となっている。これら切欠部４４のそれぞれには、接続ソケット３の突起３４が選択的に嵌合可能となっている（図５参照）。
【００２７】
また、図６に示すように、エルボ４の上流側端部には、エルボ４の水平方向の流路側（横引管８の方向）を示す位置決め目印Ｐが設けられている。この位置決め目印Ｐとしては、インクやシール、突起や凹部等で記された表示を用いることができる。
【００２８】
このように構成される配管ユニット１は、図１に示すように、各接続部、すなわち上部ソケット６３と直管部２同士、直管部２と接続ソケット３同士、接続ソケット３とエルボ４同士、及びエルボ４と横引管８同士の接続には接着剤によって接着されている。
【００２９】
なお、配管ユニット１の接続手順としては、図５に示すように、先ず、横引管８に接続したエルボ４に接続ソケット３を接続した後に、その接続ソケット３に対して直管部２を接続する。或いは、予め直管部２の下流側端部に接続ソケット３を接続して一体化しておき、この一体化された状態の接続ソケット３を横引管８に接続されているエルボ４に接続する手順とすることも可能である。
【００３０】
次に、本実施の形態による配管ユニットの施工方法および作用について説明する。
本実施の形態では、図７（ａ）、（ｂ）に示すように床下空間Ｒにおいて水平方向に延びる横引管８にエルボ４を接続する。次いで、図７（ｃ）に示すように、接続ソケット３を床材５を貫通させてエルボ４の上流側端部に非固着状態で接続するとともに、図７（ｄ）に示すように接続ソケット３に直管部２を接続して配管ユニットの設置作業が完了となる。
【００３１】
このように本実施の形態では、エルボ４の受け口４ａにおいて周方向に所定間隔で設けられる複数の切欠部４４のそれぞれには、接続ソケット３の突起３４が選択的に嵌合することで、接続ソケット３をエルボ４に対して任意の回転角度で位置決めすることができる。
そのため、直管部材１０内で流下する排水の位置とエルボ４の位置に応じて、好適な回転角度で螺旋羽根３３が配置するように直管部材を位置決めして曲管に接続することができる。
【００３２】
この場合、図８（ａ）、（ｂ）に示すように、エルボ４の受け口４ａに対して、接続ソケット３を任意の回転角度で位置決めすることができる。ここで、図８（ａ）は、螺旋羽根３３が排水Ｗに当たっていない位置にある接続ソケット３を示している。図８（ｂ）は、螺旋羽根３３が排水Ｗに当たっている位置にある接続ソケット３を示している。
【００３３】
具体的には、図９（ａ）に示すように、便器６に対するエルボ４Ａの位置（符号Ｆ１、Ｆ２、Ｆ３、Ｆ４）によって上記の直管部２内及び接続ソケット３内を流下する排水Ｗの配管断面内の位置が変わっている。例えば符号Ｆ１の位置では、接続ソケット３における便器６側の位置に排水Ｗが流れ、符号Ｆ２の位置では、接続ソケット３における便器６から離れる側の位置に排水Ｗが流れる。なお、図９（ａ）、（ｂ）に示すエルボ４Ａの位置Ｆ１、Ｆ２、Ｆ３、Ｆ４は、それぞれ便器６を中心とした回転位置で９０°毎にずらした位置を示している。
【００３４】
そして、図９（ｂ）に示すように、本実施の形態では、各エルボ４Ａの位置Ｆ１、Ｆ２、Ｆ３、Ｆ４における排水Ｗの位置に合わせて螺旋羽根３３が好適な位置となる回転角度となるようにエルボ４Ａに対して接続ソケット３を接続することができる。例えば、位置Ｆ４の場合には、図９（ａ）では螺旋羽根３３に当たらない大部分の排水Ｗがその螺旋羽根３３を伝って螺旋羽根３３の下側に回り込んでエルボ４Ａの開口部に達し、開口部で水膜となって配管ユニット内部に負圧を発生させて封水の減少を引き起こす可能性があるが、図９（ｂ）に示すように螺旋羽根３３を排水Ｗに当たるように位置させることによりこれを防止することができる。
【００３５】
また、接続ソケット３がゴム輪４５によりエルボ４に対して非固着状態で且つ止水性をもって接続されているので、接続ソケット３のみ、あるいは直管部２と接続ソケット３のみを容易に離脱させることができ、また別の接続ソケット３をエルボ４に対して非固着状態で嵌合させるだけで容易に接続することができる。
そのため、リフォーム等で便器を交換する際に、床下空間Ｒに設けられるエルボと接続ソケットとが接着固定されている場合のように、床材５を切断し、取り外してから接着により一体化されたエルボ及び直管部材の全体を取り出して入れ替えるといった手間や時間のかかる作業が不要になることから、施工効率の向上を図ることができる。
【００３６】
また、ゴム輪４５を介した接続部を構成する下流側配管（ここではエルボ４）の上流側端部（受け口）には、エルボ４の水平方向の流路側を示す位置決め目印Ｐが設けられているので、エルボ４の位置決め目印Ｐを、床材５の上から目視することで、エルボ４の水平方向の流路方向を確認することができる。そのため、エルボ４に接続される接続ソケット３に螺旋羽根３３が設けられるので、その螺旋羽根３３の位置をエルボ４の向きに合わせて間違わずに位置決めすることができる。
【００３７】
このように構成される配管ユニット及び配管施工方法では、管内の排水の位置と曲管との配置に関わらず、配管内の羽根部材を好適に位置に配置することができる効果を奏する。
【００３８】
以上、本発明による配管ユニット及び配管施工方法の実施の形態について説明したが、本発明は上記の実施の形態に限定されるものではなく、その趣旨を逸脱しない範囲で適宜変更可能である。
【００３９】
例えば、上述の本実施の形態では、直管部材１０が直管部２と接続ソケット３とからなる部材としているが、接続ソケット３を省略した構成、すなわち直管部材１０が直管部２のみから構成されるものを採用することも可能である。
【００４０】
また、本実施の形態では、エルボ４の上流側端部に水平方向の流路側を示す位置決め目印Ｐが設けられているが、これに限定されることはない。
例えば、直管部２を接続する前に、先行してエルボ４に接続ソケット３を接続しておく場合には、接続ソケット３の上流側端部にエルボ４の水平方向の流路側を示す位置決め目印Ｐが設けられていてもよい。
さらに、水平方向の流路側を示す位置決め目印Ｐはエルボ４の湾曲部の内部に設けてもよく、この場合には直管部２や接続ソケット３を設けた後でも水平方向の流路の方向を確認することができる。
【００４１】
さらにまた、上記の実施の形態において、切欠部４４の周方向の間隔を４５度としているが、このピッチであることに制限されることはなく、さらに小ピッチ、例えば１０度ピッチ等に設定することも可能である。
【００４２】
その他、本発明の趣旨を逸脱しない範囲で、上記した実施の形態における構成要素を周知の構成要素に置き換えることは適宜可能である。
【符号の説明】
【００４３】
１  配管ユニット
２  直管部
３  接続ソケット
４  エルボ（曲管）
５  床材
６  便器
８  横引管
１０  直管部材
３３  螺旋羽根（羽根部材）
３４  突起（位置決め手段）
４１  湾曲部
４４  切欠部（位置決め手段）
４５  ゴム輪
Ｐ  位置決め目印
Ｒ  床下空間
【図１】
2015068140.tif 000003
【図２】
2015068140.tif 000004
【図３】
2015068140.tif 000005
【図４】
2015068140.tif 000006
【図５】
2015068140.tif 000007
【図６】
2015068140.tif 000008
【図７】
2015068140.tif 000009
【図８】
2015068140.tif 000010
【図９】
2015068140.tif 000011